【手続補正書】
【提出日】平成23年7月5日(2011.7.5)
【手続補正１】
【補正対象書類名】特許請求の範囲
【補正対象項目名】全文
【補正方法】変更
【補正の内容】
【特許請求の範囲】
【請求項１】
（Ａ）少なくとも１つの非イオン性界面活性剤を含む、界面活性剤成分；及び
（Ｂ）（ｉ）界面活性特性を有する抗微生物剤；（ｉｉ）式(H3C)[SiO(CH3)2]nSi(CH3)3及び(H3C)[SiO(CH3)H]nSi(CH3)3［式中、ｎは１から２４である］を有するものから選択される、少なくとも１つのシロキサンを含む疎水性物質；及び（ｉｉｉ）極性溶媒を含む抗微生物組成物
を含み、
陰イオン性界面活性剤を含まず、
成分（ｉ）の成分（ｉｉ）に対する分子の比が、１００：１から５：１である、
製剤。
【請求項２】
前記成分（Ａ）が少なくとも１つの両性界面活性剤を含む、請求項１に記載の製剤。
【請求項３】
前記成分（Ａ）が少なくとも１つの非イオン性界面活性剤から本質的になる、請求項１に記載の製剤。
【請求項４】
前記組成物（Ｂ）が追加の抗微生物剤（ｉｖ）を含む、請求項１から３のいずれか一項に記載の製剤。
【請求項５】
前記組成物（Ｂ）が、成分（ｉ）、（ｉｉ）、及び任意に（ｉｖ）から作製されるコロイドを含む、請求項１から４のいずれか一項に記載の製剤。
【請求項６】
前記界面活性特性を有する抗微生物剤（ｉ）が第四級アンモニウム化合物又は第四級アンモニウム化合物の混合物である、請求項１から５のいずれか一項に記載の製剤。
【請求項７】
前記第四級アンモニウム化合物が、式
(CH3)n(A)mN+X-
［式中、各Ａは、独立に、置換若しくは非置換の、及び／又は直鎖若しくは分枝鎖の、及び／又は割り込まれているか若しくは割り込まれていない、アルキル、アリール、アルキルアリール、アリールアルキル、シクロアルキル、ヘテロシクリル、又はアルケニル基を表わすか、或いはＡの２つ以上が窒素原子と共に、置換若しくは非置換のヘテロ環式基を形成し、基Ａ及びＣＨ３の炭素原子の総数は少なくとも４であり；
基Ａの置換基は、アルキル、置換アルキル、アルケニル、置換アルケニル、ヘテロシクリル、置換ヘテロシクリル、シクロアルキル、置換シクロアルキル、アリール、置換アリール、アルキルアリール、置換アルキルアリール、アリールアルキル、置換アリールアルキル、Ｆ、Ｃｌ、Ｂｒ、Ｉ、−ＯＲ’、−ＮＲ’Ｒ”、−ＣＦ３、−ＣＮ、−ＮＯ２、−Ｃ２Ｒ’、−ＳＲ’、−Ｎ３、−Ｃ（＝Ｏ）ＮＲ’Ｒ”、−ＮＲ’Ｃ（＝Ｏ）Ｒ”、−Ｃ（＝Ｏ）Ｒ’、−Ｃ（＝Ｏ）ＯＲ’、−ＯＣ（＝Ｏ）Ｒ’、−Ｏ（ＣＲ’Ｒ”）ｒＣ（＝Ｏ）Ｒ’、−Ｏ（ＣＲ’Ｒ”）ｒＮＲ”Ｃ（＝Ｏ）Ｒ’、−Ｏ（ＣＲ’Ｒ”）ｒＮＲ”ＳＯ２Ｒ’、−ＯＣ（＝Ｏ）ＮＲ’Ｒ”、−ＮＲ’Ｃ（＝Ｏ）ＯＲ”、−ＳＯ２Ｒ’、−ＳＯ２ＮＲ’Ｒ”、及び−ＮＲ’ＳＯ２Ｒ”からなる群から選択され；
Ｒ’及びＲ”は、独立に、水素、Ｃ１−Ｃ８アルキル、シクロアルキル、ヘテロシクリル、アリール、又はアリールアルキルであり、ｒは１から６の整数であるか、或いはＲ’とＲ”とが一緒に環式官能基を形成し；
アルキル、アルケニル、ヘテロシクリル、シクロアルキル、アリール、アルキルアリール、及びアリールアルキルに適用される用語「置換」は、Ｆから−ＮＲ’ＳＯ２Ｒ”までの上述の置換基であり；
Ｘ−はハライド又はスルホネートであり；及び
ｎは１から３であり、ｍは１から３であるが、ｎとｍとの合計は４である］
を有する、請求項６に記載の製剤。
【請求項８】
ｎ＝２、ｍ＝２、各Ａが同一であるか又は異なり、直鎖で非置換の割り込まれていないＣ８−１２アルキル基又はベンジル基である、請求項７に記載の製剤。
【請求項９】
前記第四級アンモニウム化合物がベンザルコニウムハライドであるか又はそのアリール環置換誘導体である、請求項７に記載の製剤。
【請求項１０】
前記ベンザルコニウムハライドが式：
【化１】
2010539276.tif 000001
［式中、Ｒは、置換若しくは非置換の、及び／又は直鎖若しくは分枝鎖の、及び／又は割り込まれている、アルキル、アリール、アルキルアリール、アリールアルキル、シクロアルキル、ヘテロシクリル、又はアルケニル基である］
を有する、請求項９に記載の抗微生物組成物。
【請求項１１】
前記第四級アンモニウム化合物が、ドミフェンブロミド及びベンゼトニウムクロリド、ベンジルジメチル−ｎ−テトラデシルアンモニウムクロリド、ベンジルジメチル−ｎ−ドデシルアンモニウムクロリド、ｎ−ドデシル−ｎ−テトラデシルジメチルアンモニウムクロリド、及びベンジル−Ｃ１２−Ｃ１６−アルキルジメチルアンモニウムクロリド、ベンジルココアルキルジメチルアンモニウムクロリド、ジ−ｎ−デシルジメチルアンモニウムクロリド、並びにそれらの混合物から選択される、請求項６に記載の製剤。
【請求項１２】
前記成分（ｉ）の成分（ｉｉ）に対する分子の比が、約４０：１から約６０：１である、請求項１から１１のいずれか一項に記載の製剤。
【請求項１３】
前記シロキサンが、ヘキサメチルジシロキサン、オクタメチルトリシロキサン、デカメチルテトラシロキサン、及びドデカメチルペントラシロキサンの少なくとも１つを含む、請求項１から１２のいずれか一項に記載の製剤。
【請求項１４】
前記極性溶媒が、水、エタノール、ｎ−プロパノール、イソプロパノール、ジエチレングリコール、及びジプロピレングリコール、並びにそれらの混合物から選択される、請求項１から１３のいずれか一項に記載の製剤。
【請求項１５】
前記少なくとも１つの追加の抗微生物剤（ｉｖ）が、ポリマービグアニジン、イソチアザロン、オルトフェニルフェノール、及びニトロブロモプロパンから選択される、請求項４から１４のいずれか一項に記載の製剤。
【請求項１６】
前記追加の抗微生物剤がポリヘキサメチレンビグアニジンである、請求項１５に記載の製剤。
【請求項１７】
抗微生物成分（ｉ）及び（ｉｖ）（存在する場合）の全分子数が、成分（ｉｉ）の全分子に対して５から８０である、請求項１から１６のいずれか一項に記載の製剤。
【請求項１８】
前記非イオン性界面活性剤が、エチレンオキシド／プロピレンオキシドブロックポリマー、ポリエトキシル化ソルビタンエステル、ソルビタンの脂肪エステル、エトキシル化脂肪エステル（１から２５単位のエチレンオキシドを含有する）、ポリエトキシル化Ｃ８−Ｃ２２アルコール（１から２５単位のエチレンオキシドを含有する）、ポリエトキシル化Ｃ６−Ｃ２２アルキルフェノール（５から２５単位のエチレンオキシドを含有する）、及びアルキルポリグリコシドから選択される、請求項１から１７のいずれか一項に記載の製剤。
【請求項１９】
前記非イオン性界面活性剤がポリエトキシル化Ｃ８−Ｃ２２アルコール（１から２５単位のエチレンオキシドを含有する）である、請求項１８に記載の製剤。
【請求項２０】
少なくとも１つの非イオン性界面活性剤及び少なくとも１つの両性界面活性剤を含むが、両性界面活性剤の全量が製剤の全重量に対して５％以下である、請求項１、２、及び４から１９のいずれか一項に記載の製剤。
【請求項２１】
前記界面活性剤（Ａ）がアミンオキシドを含む、請求項１から２０のいずれか一項に記載の製剤。
【請求項２２】
表面洗浄剤、トイレケア製品、食器洗浄用製品、洗濯用製品、アウトドア用の洗浄用製品、食品用スプレー、パーソナルケア製品、乳児用製品、応急処置用製品、足の衛生用製品、又は車洗浄用製品の形態にある、請求項１から２１のいずれか一項に記載の製剤。
【請求項２３】
表面への適用において、表面における又は表面上の微生物コロニー形成を実質的に低減又は制御するために働く、請求項１から２２のいずれか一項に記載の製剤。
【請求項２４】
（Ａ）少なくとも１つの非イオン性界面活性剤；並びに
（Ｂ）（ｉ）少なくとも１つの第四級アンモニウム化合物、（ｉｉ）請求項１に規定のシロキサンを含む、少なくとも１つのシロキサン、（ｉｉｉ）水、及び（ｉｖ）ＰＨＭＢを含む、抗微生物組成物、
を含む、請求項１に記載の製剤。
【請求項２５】
イソチアザロンを含有しない、請求項１から２４のいずれか一項に記載の製剤。
【請求項２６】
請求項１から２５のいずれか一項に記載の製剤の他の成分と抗微生物組成物とを混合する工程を含む、請求項１から２５のいずれか一項に記載の製剤の製造方法であって、前記抗微生物組成物が、
（Ｉ）（ｉ）界面活性特性を有する抗微生物剤及び（ｉｉ）請求項１に規定の疎水性物質を共に混合する工程；並びに（ＩＩ）工程（Ｉ）の生成物に（ｉｉｉ）極性溶媒を添加する工程；並びに（ＩＩＩ）透明溶液が形成されるまで、得られた混合物を攪拌する工程
を含む方法によって調製される、方法。
【請求項２７】
前記抗微生物組成物が事前に調製した界面活性剤含有製剤と混合される、請求項２６に記載の方法。
【請求項２８】
（ｉ）界面活性特性を有する抗微生物剤；（ｉｉ）疎水性物質；及び（ｉｉｉ）極性溶媒を含む、請求項１及び４から１７のいずれか一項に規定の抗微生物組成物の、界面活性剤含有製剤に抗微生物特性を与えるための使用。
【請求項２９】
表面における又は表面上の微生物のコロニー形成を実質的に低減又は制御するための、請求項１から２５のいずれか一項に記載の製剤の使用。